(57)【要約】  荷重による梱包装置及び被梱包物の損傷を抑制し、外箱及び被梱包物を安定的に保護する。梱包装置の外箱１は、側面部２、上フラップ３、下フラップ４、突出部５、固定部６、内装クッション１０等を備える。突出部５は、上フラップ３′の一部を折曲げることにより形成される。固定部６は、突出部５を上フラップ３′から突出した状態に固定する。外箱１の内部に被梱包物１００を収納した状態では、突出部５が上フラップ３′と被梱包物１００との間に介在し、外箱１に加わる荷重を分散する。
2017033330.tif 000002
【特許請求の範囲】
【請求項１】
物体を収納するために少なくとも１つの段ボールシートにより形成され、天面部と、前記天面部と対向する底面部と、前記天面部と前記底面部とを互いに接続する側面部とを有する外箱を備え、
前記天面部と前記底面部のうち少なくとも一方の壁面部は、前記段ボールシートを前記外箱の内側に向けて部分的に折曲げることにより形成された突出部を備え、前記突出部は、前記外箱に収納された前記物体に当接する梱包装置。
【請求項２】
物体を収納するために少なくとも１つの段ボールシートにより形成され、天面部と、前記天面部と対向する底面部と、前記天面部及び前記底面部と互いに接続された側面部とを有する外箱を備え、
前記天面部と前記底面部のうち少なくとも一方の壁面部は、
前記段ボールシートを前記外箱の内側に向けて部分的に折曲げることにより形成された突出部と、
前記突出部を前記壁面部から突出した状態に固定する固定部と、
を備えた梱包装置。
【請求項３】
前記突出部を前記壁面部から突出した状態に固定する固定部を備えた請求項１に記載の梱包装置。
【請求項４】
前記固定部は、前記突出部と連続して形成され、当該突出部から折曲げられた状態で前記壁面部に当接する請求項２または３に記載の梱包装置。
【請求項５】
前記固定部は、前記壁面部と連続して形成され、当該壁面部から折曲げられた状態で前記突出部が倒れるのを規制する請求項２または３に記載の梱包装置。
【請求項６】
前記固定部は、前記突出部と連続して形成され、前記突出部から折曲げられた状態で前記壁面部に当接し、かつ、前記固定部の一部は、前記壁面部に形成された切欠きを介して当該壁面部の外側に引っ掛ける請求項２または３に記載の梱包装置。
【請求項７】
前記突出部は、
互いに対向した状態で前記壁面部から立ち上がる少なくとも２個の脚部と、
前記各脚部の先端側を互いに連結する突出端と、
を備えた請求項１から６のうち何れか１項に記載の梱包装置。
【請求項８】
前記天面部と前記底面部の両方がそれぞれ前記突出部を備えた請求項１から７のうち何れか１項に記載の梱包装置。
【請求項９】
前記壁面部には、基端側が前記壁面部と連続すると共に先端側が二股状に分岐したＴ字状の切込み片を形成し、
前記切込み片を前記壁面部から折曲げることにより前記突出部及び前記固定部を形成する請求項２から６のうち何れか１項に記載の梱包装置。
【請求項１０】
前記壁面部には、
四角形の帯状に形成され、前記四角形の一辺に沿って前記壁面部から折曲げられることにより前記突出部となる第１の切込み片と、
前記壁面部の一部を折曲げることにより形成され、前記第１の切込み片を折曲げた後に生じる開口上に突出して前記固定部となる第２の切込み片と、
を形成する請求項５に記載の梱包装置。
【請求項１１】
前記物体と一緒に前記外箱に収納され、前記突出部と異なる位置で前記物体を保持または保護する緩衝体を備えた請求項１から１０のうち何れか１項に記載の梱包装置。
【請求項１２】
前記物体は、物品を収納袋により包み込んだものである請求項１から１１のうち何れか１項に記載の梱包装置。
【発明の詳細な説明】
【技術分野】
【０００１】
本発明は、各種の物品を梱包するための梱包装置に関する。
【背景技術】
【０００２】
従来技術として、例えば特許文献１に記載されているような梱包装置が知られている。図１７は、従来技術の梱包装置を示す分解斜視図である。この図に示すように、従来技術の梱包装置は、被梱包物１００が収納される四角形状の外箱２００と、ダンボール等の板紙を折曲げることにより形成された緩衝材３００とを備えている。緩衝材３００は、被梱包物１００と共に外箱２００の内部に収納され、外箱２００と被梱包物１００との隙間に配置される。外箱２００の天面及び底面の開口部の四辺には、それぞれフラップ４００が一体形成されている。
【先行技術文献】
【特許文献】
【０００３】
【特許文献１】日本特開２００６−１０３７２９号公報
【発明の概要】
【発明が解決しようとする課題】
【０００４】
上述した従来技術では、例えば倉庫での保管時、トラックでの輸送時、トラックに対する積み下ろし作業の実行時等において、梱包装置に圧縮荷重が作用した場合に、外箱２００または被梱包物１００の変形、損傷等が発生し易いという問題がある。【０００５】
本発明は、上述の課題を解決するためになされたもので、荷重による梱包装置及び被梱包物の損傷を抑制し、外箱及び被梱包物を安定的に保護することが可能な梱包装置を提供することを目的としている。
【課題を解決するための手段】
【０００６】
この発明に係る梱包装置は、物体を収納するために少なくとも１つの段ボールシートにより形成され、天面部と、天面部と対向する底面部と、天面部と底面部とを互いに接続する側面部とを有する外箱を備え、天面部と底面部のうち少なくとも一方の壁面部は、段ボールシートを外箱の内側に向けて部分的に折曲げることにより形成された突出部を備え、突出部は、外箱に収納された物体に当接するようにしたものである。
【発明の効果】
【０００７】
この発明によれば、被梱包物である物体を梱包した状態では、外箱と物体との間に突出部を介在させることができる。これにより、倉庫等で梱包製品を積み重ねる場合にも、荷重による外箱の損傷を抑制し、外箱及び被梱包物を安定的に保護することができる。
【図面の簡単な説明】
【０００８】
【図１】本発明の実施の形態１による梱包装置を示す分解斜視図である。
【図２】図１中の外箱を示す展開図である。
【図３】図１中の突出部及び固定部を外箱の内側からみた部分拡大斜視図である。
【図４】固定部の掛止め部を外箱の外側からみた部分拡大斜視図である。
【図５】本発明の実施の形態１において、梱包装置により被梱包物を梱包した状態を示す縦断面図である。
【図６】梱包製品をパレット上に段積みした状態の一例を示す斜視図である。
【図７】トラックに対する梱包製品の荷積みを示す説明図である。
【図８】本発明の実施の形態２において、梱包装置により被梱包物を梱包した状態を示す縦断面図である。
【図９】図８中の外箱を示す展開図である。
【図１０】本発明の実施の形態３による梱包装置を示す分解斜視図である。
【図１１】図１０中の外箱を示す展開図である。
【図１２】図１０中の突出部を外箱の内側からみた部分拡大斜視図である。
【図１３】本発明の実施の形態３において、梱包装置により被梱包物を梱包した状態を示す縦断面図である。
【図１４】本発明の実施の形態４による梱包装置の外箱を示す展開図である。
【図１５】本発明の実施の形態５による梱包装置の外箱を示す展開図である。
【図１６】本発明の実施の形態１を例に挙げて、収納袋を用いた変形例を示す縦断面図である。
【図１７】従来技術の梱包装置を示す分解斜視図である。
【発明を実施するための形態】
【０００９】
以下、図１から図１６を参照して、本発明の実施の形態について説明する。なお、本明細書で使用する各図においては、共通する要素に同一の符号を付し、重複する説明を省略するものとする。また、本発明は、以下の実施の形態に限定されるものではなく、本発明の主旨を逸脱しない範囲で種々に変形することが可能である。また、本発明は、実施の形態に記載された構成のあらゆる組合わせを含むものとする。
【００１０】
実施の形態１．
まず、図１から図７を参照して、本発明の実施の形態１について説明する。図１は、本発明の実施の形態１による梱包装置を示す分解斜視図である。図２は、図１中の外箱を示す展開図である。また、図３は、図１中の突出部及び固定部を外箱の内側からみた部分拡大斜視図である。図４は、固定部の掛止め部を外箱の外側からみた部分拡大斜視図である。さらに、図５は、本発明の実施の形態１において、梱包装置により被梱包物を梱包した状態を示す縦断面図である。図１、図２及び図５に示すように、本実施の形態の梱包装置は、四角形の箱形状に形成された外箱１と、後述の内装クッション１０とを備えている。梱包装置は、各種の製品等からなる物体としての被梱包物１００を梱包するものである。
【００１１】
外箱１は、例えば１枚の段ボールシートに切込みを入れて折曲げることにより形成され、被梱包物１００を収納するように構成されている。なお、本発明では、２枚以上の段ボールシートにより外箱１を形成してもよい。また、外箱１は、図１に示すように、四辺の側面部２と、複数の上フラップ３と、複数の下フラップ４とを有している。四辺の側面部２は、上フラップ３と下フラップ４とを互いに接続しており、外箱１を組立てた状態において、四角形の枠状に配置されている。
【００１２】
各上フラップ３は、各側面部２の上端から折曲げ線３Ａを支点として折曲げられ、少なくとも一部が互いに重なり合うように配置されている。この状態で、各上フラップ３は、外箱１の天面部を構成している。各下フラップ４は、各側面部２の下端から折曲げ線４Ａを支点として折曲げられ、少なくとも一部が互いに重なり合うように配置されている。この状態で、各下フラップ４は、上下方向において上フラップ３と対向し、外箱１の底面部を構成している。側面部２、上フラップ３及び下フラップ４は、外箱１の壁面部を構成している。
【００１３】
上フラップ３と下フラップ４のうち少なくとも一方の壁面部には、図１及び図３に示すように、突出部５及び固定部６が形成されている。なお、本実施の形態では、各上フラップ３のうち少なくとも１枚の上フラップ３′に突出部５及び固定部６を形成する場合を例示している。しかし、本発明では、複数枚の上フラップ３に突出部及び固定部を形成してもよいし、１枚または複数枚の下フラップ４に突出部及び固定部を形成してもよい。さらには、後述のように、上フラップ３と下フラップ４の両方に突出部及び固定部を形成してもよい。
【００１４】
突出部５は、外箱１となる段ボールシートを外箱１の内側に向けて部分的に折曲げることにより形成され、上フラップ３′から外箱１の内側に向けて下向きに突出している。突出部５は、図３に示すように、例えば上フラップ３′に向けて開口したＵ字状またはコ字状に形成され、２個の脚部５Ａ及び突出端５Ｂを備えている。２個の脚部５Ａは、上フラップ３′から垂直に立ち上がり、互いに対向している。また、突出端５Ｂは、例えば上フラップ３′と平行に延びた平面部として形成され、各脚部５Ａの先端側を互いに連結している。突出端５Ｂは、突出部５のうちで上フラップ３′から最も突出した部位を構成している。
【００１５】
突出部５は、外箱１の内側に被梱包物１００を収納したときに、外箱１の天面部と被梱包物１００との間に介在するように構成されている。このとき、突出部５の突出端５Ｂは、被梱包物１００と直接当接するか、または、規定寸法の隙間を介して被梱包物１００と対向した状態に保持される。なお、規定寸法とは、例えば外箱１が歪む程度の外力を受けたときに、突出部５が被梱包物１００と当接する程度の寸法である。これにより、突出部５は、外箱１の天面部を支持及び補強すると共に、被梱包物１００に加わる衝撃を緩和し、外箱１及び被梱包物１００を衝撃等から保護するものである。
【００１６】
一方、固定部６は、突出部５を上フラップ３′から垂直に突出した状態に固定するものである。固定部６は、図３に示すように、例えば細長い四角形状の平面部として形成され、突出部５と連続している。また、固定部６は、突出部５から折曲げられた状態で上フラップ３′に当接している。また、突出部５の長さ方向の両端部は、図４に示すように、掛止め部６Ａを構成している。これらの掛止め部６Ａは、上フラップ３′に形成された切欠き７を介して上フラップ３′の外側（外面側）に折曲げられ、切欠き７に引っ掛けて固定されている。これにより、固定部６は、外箱１に加わる外力等で突出部５が倒れるように変形するのを抑制し、突出部５を補強している。
【００１７】
ここで、外箱１を組立てる前の上フラップ３′には、図２に示すように、Ｔ字状の切込み片８が形成されている。また、切込み片８の両側には、切欠き７がそれぞれ形成されている。切込み片８の基端側は、突出部５となるもので、例えば細長い四角形状に形成され、上フラップ３′と連続して形成されている。また、切込み片８の先端側は、固定部６となるもので、切込み片８の基端側から二股状に分岐している。なお、本明細書では、切込み片８の基端側の伸張方向を「切込み片８の長さ方向」と表記し、この長さ方向と直交する方向を「切込み片８の幅方向」と表記する場合がある。
【００１８】
切込み片８には、例えば４本の折曲げ線８Ａが切込み片８の長さ方向に間隔をもって互いに平行に形成されている。また、切込み片８の先端側は、切込み片８の基端側から幅方向の両側に突出している。外箱１の組立時には、図３に示すように、切込み片８を各折曲げ線８Ａの位置で直角に折曲げつつ、当該切込み片８を上フラップ３′側に巻込むように屈曲させる。これにより、突出部５及び固定部６が形成され、固定部６が上フラップ３′に面接触した状態となる。次に、固定部６の両端側を切欠き７に挿入して上フラップ３′の外側に折曲げることにより、各掛止め部６Ａを形成する。この結果、各掛止め部６Ａは、図４に示すように、上フラップ３′に固定された状態となる。
【００１９】
一方、外箱１の内部には、図１に示すように、例えば２個の内装クッション１０が被梱包物１００と一緒に収納される。内装クッション１０は、樹脂発泡体、紙系段ボール等の緩衝材により形成され、被梱包物１００の保護、保持、緩衝等を行うように構成されている。また、内装クッション１０は、突出部５と異なる位置（好ましくは、突出部５の両側）に配置されている。なお、本実施の形態では、内装クッション１０を四角形の枠状に形成した場合を例示している。この場合、内装クッション１０は、四角形状（直方体状）をなす被梱包物１００の両端側を包み込んだ状態で支持することができる。内装クッション１０は、被梱包物１００となる製品等の形状に合わせて成形するのが好ましい。
【００２０】
次に、図５を参照して、被梱包物１００の収納作業について説明する。この作業では、まず、内装クッション１０を被梱包物１００の端部に嵌め込み、これらを外箱１に収納する。この時点において、外箱１の各下フラップ４は、折曲げ線４Ａを支点として内側に折曲げ、テープ等により固定しておくのが好ましい。次に、突出部５を組立てた上で、各上フラップ３を折曲げ線３Ａを支点として折曲げ、外箱１の天面部を閉じる。この閉じ作業では、まず、上フラップ３′を折曲げた後に、当該上フラップ３′と対向する位置の上フラップ３を折曲げる。続いて、残り２枚の上フラップ３を順次折曲げてから、折曲げた各上フラップ３，３′をテープ等により固定する。この結果、外箱１の内部では、被梱包物１００の上側に突出部５及び固定部６が配置される。そして、突出部５は、被梱包物１００と直接当接するか、または、被梱包物１００と隙間を介して対向した状態となる。このようにして、外箱１、内装クッション１０及び被梱包物１００により構成された梱包製品２０を組立てることができる。
【００２１】
以上詳述した通り、本実施の形態によれば、外箱１の上フラップ３′に突出部５を形成したので、梱包製品２０を組立てた状態では、外箱１の天面部と被梱包物１００との間に突出部５を介在させることができる。これにより、倉庫等で梱包製品２０を積み重ねる（段積みする）場合にも、外箱１の折れ、変形等の損傷を抑制することができる。図６は、梱包製品２０をパレット２１上に段積みした状態の一例を示す斜視図である。この図に示すように、梱包製品２０の天面部に加わる荷重Ｆは、外箱１の側面部２だけでなく、突出部５及び被梱包物１００によっても支持されるので、荷重Ｆを分散し、外箱１を損傷から保護することができる。
【００２２】
図７は、トラック２２に対する梱包製品２０の荷積みを示す説明図である。この図に示すように、トラック２２への荷積み作業中において、仮に作業者２３が梱包製品２０上に乗った場合でも、梱包製品２０の天面部に加わる荷重Ｆを突出部５及び被梱包物１００によって分散することができる。従って、荷積み作業中における外箱１の損傷を抑制することができる。また、外箱１の内部には、外箱１の内部形状と等しい外形を有する内装クッション１０を配置し、被梱包物１００を内装クッション１０に嵌め込むようにしている。この結果、内装クッション１０により外箱１の強度を高めつつ、被梱包物１００を保持及び保護することができ、梱包装置の性能を更に向上させることができる。
【００２３】
また、本実施の形態では、突出部５と連続して形成された固定部６を上フラップ３′に面接触状態で当接させている。これにより、外箱１に加わる外力等で突出部５が倒れるように変形するのを抑制し、突出部５を上フラップ３′から垂直に突出した状態に固定することができる。しかも、本実施の形態では、固定部６の掛止め部６Ａを上フラップ３′の切欠き７に引っ掛けるようにしている。これにより、固定部６が上フラップ３′から浮き上がるのを防止し、突出部５をより安定的に固定することができる。
【００２４】
また、本実施の形態では、突出部５が２個の脚部５Ａ及び突出端５Ｂを備える構成としている。この結果、被梱包物１００から突出端５Ｂに外力が加わるときに、２個の脚部５Ａにより突出端５Ｂを安定的に支持することができる。従って、突出部５の強度を高めることができる。なお、本発明では、３個以上の脚部５Ａにより突出端５Ｂを支持する構成としてもよい。
【００２５】
また、本実施の形態では、上フラップ３′に形成したＴ字状の切込み片８を折曲げるだけで、突出部５及び固定部６を容易に形成することができる。このため、突出部５及び固定部６として機能する他の部品等を用いる必要がない。従って、梱包装置の部品点数を削減し、コストダウンを促進することができる。
【００２６】
実施の形態２．
次に、図８及び図９を参照して、本発明の実施の形態２について説明する。本実施の形態の特徴は、外箱の天面部と底面部の両方に突出部及び固定部を形成したことにある。図８は、本発明の実施の形態２において、梱包装置により被梱包物を梱包した状態を示す縦断面図である。図９は、図８中の外箱を示す展開図である。これらの図に示すように、本実施の形態による梱包装置は、外箱３０を備えている。外箱３０は、前記実施の形態１と同様に、側面部２、上フラップ３，３′、下フラップ４、突出部５、固定部６等を備えている。また、外箱３０の下フラップ４のうち少なくとも１枚の下フラップ４′には、被梱包物１００の下側に配置される突出部３１及び固定部３２が形成されている。
【００２７】
下フラップ４′には、図９に示すように、上フラップ３′と同様の切込み片８が形成されている。突出部３１及び固定部３２は、下フラップ４′の切込み片８を外箱１の内側に向けて折曲げることにより形成されている。また、突出部３１は、図８に示すように、上側の突出部５と同様の脚部３１Ａ及び突出端３１Ｂを備え、下フラップ４′から上向きに突出している。一方、固定部３２は、下フラップ４′に形成された２個の切欠き７にそれぞれ引っ掛けられる掛止め部３２Ａを備えている。
【００２８】
このように構成される本実施の形態では、梱包製品２０を組立てたときに、外箱１の底面部と被梱包物１００との間に突出部３１を介在させることができる。この結果、上側の突出部５と下側の突出部３１とを用いて、外箱３０の上下両側で荷重を分散させることができる。従って、前記実施の形態１と同様の効果に加えて、外箱３０の強度を更に高めることができる。そして、段積み、荷積み等における外箱３０の損傷を効果的に抑制することができる。
【００２９】
実施の形態３．
次に、図１０から図１３を参照して、本発明の実施の形態３について説明する。本実施の形態の特徴は、外箱の壁面部に固定部を形成したことにある。図１０は、本発明の実施の形態３による梱包装置を示す分解斜視図である。図１１は、図１０中の外箱を示す展開図である。また、図１２は、図１０中の突出部を外箱の内側からみた部分拡大斜視図である。図１３は、本発明の実施の形態３において、梱包装置により被梱包物を梱包した状態を示す縦断面図である。
【００３０】
これらの図に示すように、本実施の形態による梱包装置は、外箱４０を備えている。外箱４０は、前記実施の形態１とほぼ同様に、側面部２、上フラップ４１、下フラップ４、突出部４２、固定部４３等を備えている。上フラップ４１は、折曲げ線４１Ａに沿って折曲げられ、外箱４０の天面部を構成する。また、上フラップ４１のうち少なくとも１枚の上フラップ４１′には、実施の形態１と異なる形状をもつ突出部４２が形成されている。また、上フラップ４１のうち、図１１に示す展開図において上フラップ４１′と隣合う２枚の上フラップ４１″には、例えば四角形状の固定部４３がそれぞれ形成されている。
【００３１】
突出部４２は、図１１及び図１２に示すように、上フラップ４１′の縁部に形成された第１の切込み片４４を折曲げ線４４Ａに沿って下向きに折曲げることにより形成されている。これにより、突出部４２は、上フラップ４１′から外箱４０の内側に向けて垂直に突出している。切込み片４４は、例えば細長い四角形の帯状に形成され、当該四角形を構成する１つの長辺は、折曲げ線４４Ａと一致している。即ち、突出部４２は、外箱４０の天面部（上フラップ４１′）と連続している。
【００３２】
また、突出部４２は、図１３に示すように、梱包製品５０を組立てた状態において、被梱包物１００と当接するか、または、前記規定寸法の隙間を介して被梱包物１００と対向している。これにより、突出部４２は、実施の形態１の突出部５と同様の効果を発揮する。なお、突出部４２を形成した状態では、図１２に示すように、折曲げる前の切込み片４４が存在した位置に開口４４Ｂが形成される。
【００３３】
一方、２個の固定部４３は、図１０に示すように、各上フラップ４１″にそれぞれ形成された第２の切込み片４５を外箱４０の内側に向けて直角に折曲げることにより形成されている。即ち、各固定部４３は、外箱４０の天面部（上フラップ４１″）と連続している。各固定部４３は、図１３に示すように、外箱４０を組立てた状態において、第１の切込み片４４を折曲げた後に生じる開口４４Ｂ上に突出し、突出部４２が開口４４Ｂの方向に倒れるのを規制している。詳しく述べると、２個の固定部４３は、突出部４２の長さ方向の両側で開口４４Ｂ上に突出し、突出部４２を上フラップ４１′から垂直に突出した状態に固定している。
【００３４】
このように構成される本実施の形態でも、図１３に示すように、梱包製品５０を組立てることができ、前記実施の形態１とほぼ同様の効果を得ることができる。特に、本実施の形態では、各固定部４３を外箱４０の上フラップ４１″に形成している。これにより、外箱４０の組立時には、実施の形態１と比較して、切込み片４４，４５の形状を簡略化し、複雑な折曲げ作業を減らすことができる。従って、外箱４０の組立作業を効率よく行うことができる。
【００３５】
実施の形態４．
次に、図１４を参照して、本発明の実施の形態４について説明する。本実施の形態の特徴は、前記実施の形態３と同様に形成された複数個の突出部及び固定部を備える構成としたことにある。図１４は、本発明の実施の形態４による梱包装置の外箱を示す展開図である。この図に示すように、本実施の形態による梱包装置は、外箱６０を備えている。外箱６０は、前記実施の形態３とほぼ同様に、側面部２、上フラップ４１、下フラップ４、突出部４２、固定部４３等を備えている。しかし、突出部４２は、１枚の上フラップ４１′に２個形成されている。また、各上フラップ４１″に形成された固定部４３は、２個の突出部４２をそれぞれ個別に固定するように構成されている。
【００３６】
このように構成される本実施の形態でも、前記実施の形態３とほぼ同様の効果を得ることができる。特に、本実施の形態では、被梱包物１００と外箱６０の天面部との間に複数個の突出部４２を介在させることができる。これにより、梱包装置の中央に荷重を受けた場合に、荷重の分散を更に促進し、段積み、荷積み等における外箱６０の損傷をより確実に抑制することができる。
【００３７】
また、前記実施の形態４では、２個の突出部４２を形成する場合を例示したが、本発明はこれに限らず、３個以上の突出部４２を形成してもよい。この構成によれば、例えば梱包装置の輸送環境、被梱包物１００の内容等に適した個数の突出部４２を外箱６０に設けることができる。従って、要求される強度及び信頼性を満たす梱包装置を容易に実現することができる。なお、図１４では、展開図において突出部及び固定部を図示するために、折曲げる前の切込み片に対して突出部４２及び固定部４３の符号を付している。
【００３８】
実施の形態５．
次に、図１５を参照して、本発明の実施の形態５について説明する。本実施の形態の特徴は、外箱の天面部及び底面部が前記実施の形態３と同様の突出部及び固定部を備える構成としたことにある。図１５は、本発明の実施の形態５による梱包装置の外箱を示す展開図である。この図に示すように、本実施の形態による梱包装置は、外箱７０を備えている。外箱７０は、前記実施の形態３とほぼ同様に、側面部２、上フラップ４１、下フラップ７１、突出部４２、固定部４３等を備えている。下フラップ７１は、折曲げ線７１Ａに沿って折曲げられ、外箱４０の底面部を構成する。
【００３９】
下フラップ７１のうち１枚の下フラップ７１′には、突出部７２が形成されている。また、下フラップ７１′と隣合う２枚の下フラップ７１′には、それぞれ固定部７３が形成されている。下側の突出部７２及び固定部７３は、上側の突出部４２及び固定部４３と同様の機能を有するものである。
【００４０】
このように構成される本実施の形態でも、前記実施の形態１から３と同様の効果を得ることができ、構造が簡略化された突出部４２，７２を用いて、外箱７０の上下両側で荷重を分散させることができる。なお、図１５では、展開図において突出部及び固定部を図示するために、折曲げる前の切込み片に対して突出部４２、固定部４３、突出部７２及び固定部７３の符号を付している。
【００４１】
上述したように、前記各実施の形態では、外箱１，３０，４０，６０，７０の内部に被梱包物１００を直接収納する場合を例示した。しかし、本発明はこれに限らず、例えば図１６に示す変形例の構成を採用してもよい。図１６は、本発明の実施の形態１を例に挙げて、収納袋を用いた変形例を示す縦断面図である。この図において、被梱包物１００は、物品１０１を収納袋８０により包み込むことにより構成されている。収納袋８０は、緩衝性を有する布材等により構成され、物品１０１と突出部５との間に介在している。
【００４２】
このように構成される変形例によれば、緩衝性を有する収納袋８０により物品１０１を保護することができる。また、収納袋８０を使用しない状態で物品１０１を梱包した状態において、突出部５と物品１０１との間に隙間が存在する場合でも、この隙間を収納袋８０により埋めることができる。これにより、突出部５を介した荷重の分散をより安定的に実現することができる。なお、上記変形例では、実施の形態１に適用する場合を例示したが、この変形例は、実施の形態２から５の何れに適用してもよいものである。
【００４３】
前記実施の形態１から５では、突出部５，３１，４２，７２と、固定部６，３２，４３，７３とを併用する場合を例示した。しかし、本発明はこれに限らず、固定部を使用せず、突出部のみを用いる構成としてもよい。また、本発明では、実施の形態１で示した突出部５を、外箱の天面部と底面部の少なくとも一方に複数個形成する構成としてもよい。
【符号の説明】
【００４４】
１，３０，４０，６０，７０  外箱
２  側面部（壁面部）
３，３′，４１，４１′，４１″  上フラップ（天面部、壁面部）
４，４′，７１，７１′，７１″  下フラップ（底面部、壁面部）
３Ａ，４Ａ，８Ａ，４１Ａ，４４Ａ，７１Ａ  折曲げ線
５，３１，４２，７２  突出部
５Ａ，３１Ａ  脚部
５Ｂ，３１Ｂ  突出端
６，３２，４３，７３  固定部
６Ａ，３２Ａ  掛止め部
７  切欠き
８，４４，４５  切込み片
１０  内装クッション（緩衝材）
２０，５０  梱包製品
２１  パレット
２２  トラック
４４Ｂ  開口
８０  収納袋
１００  被梱包物（物体）
１０１  物品
【図１】
2017033330.tif 000003
【図２】
2017033330.tif 000004
【図３】
2017033330.tif 000005
【図４】
2017033330.tif 000006
【図５】
2017033330.tif 000007
【図６】
2017033330.tif 000008
【図７】
2017033330.tif 000009
【図８】
2017033330.tif 000010
【図９】
2017033330.tif 000011
【図１０】
2017033330.tif 000012
【図１１】
2017033330.tif 000013
【図１２】
2017033330.tif 000014
【図１３】
2017033330.tif 000015
【図１４】
2017033330.tif 000016
【図１５】
2017033330.tif 000017
【図１６】
2017033330.tif 000018
【図１７】
2017033330.tif 000019
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
物体を収納するために少なくとも１つの段ボールシートにより形成され、天面部と、前記天面部と対向する底面部と、前記天面部と前記底面部とを互いに接続する側面部とを有する外箱を備え、
前記天面部と前記底面部のうち少なくとも一方の壁面部は、前記段ボールシートを前記外箱の内側に向けて部分的に折曲げることにより形成された突出部を備え、前記突出部は、前記外箱に収納された前記物体に当接し、
前記天面部に加わる荷重の一部が前記突出部により支持される梱包装置。
【請求項２】
物体を収納するために少なくとも１つの段ボールシートにより形成され、天面部と、前記天面部と対向する底面部と、前記天面部及び前記底面部と互いに接続された側面部とを有する外箱を備え、
前記天面部と前記底面部のうち少なくとも一方の壁面部は、
前記段ボールシートを前記外箱の内側に向けて部分的に折曲げることにより形成された突出部と、
前記突出部を前記壁面部から突出した状態に固定する固定部と、
を備え、
前記天面部に加わる荷重の一部が前記突出部により支持される梱包装置。
【請求項３】
前記突出部を前記壁面部から突出した状態に固定する固定部を備えた請求項１に記載の梱包装置。
【請求項４】
前記固定部は、前記突出部と連続して形成され、当該突出部から折曲げられた状態で前記壁面部に当接する請求項２または３に記載の梱包装置。
【請求項５】
前記固定部は、前記壁面部と連続して形成され、当該壁面部から折曲げられた状態で前記突出部が倒れるのを規制する請求項２または３に記載の梱包装置。
【請求項６】
前記固定部は、前記突出部と連続して形成され、前記突出部から折曲げられた状態で前記壁面部に当接し、かつ、前記固定部の一部は、前記壁面部に形成された切欠きを介して当該壁面部の外側に引っ掛ける請求項２または３に記載の梱包装置。
【請求項７】
前記突出部は、
互いに対向した状態で前記壁面部から立ち上がる少なくとも２個の脚部と、
前記各脚部の先端側を互いに連結する突出端と、
を備えた請求項１から６のうち何れか１項に記載の梱包装置。
【請求項８】
前記天面部と前記底面部の両方がそれぞれ前記突出部を備えた請求項１から７のうち何れか１項に記載の梱包装置。
【請求項９】
前記壁面部には、基端側が前記壁面部と連続すると共に先端側が二股状に分岐したＴ字状の切込み片を形成し、
前記切込み片を前記壁面部から折曲げることにより前記突出部及び前記固定部を形成する請求項２から６のうち何れか１項に記載の梱包装置。
【請求項１０】
前記壁面部には、
四角形の帯状に形成され、前記四角形の一辺に沿って前記壁面部から折曲げられることにより前記突出部となる第１の切込み片と、
前記壁面部の一部を折曲げることにより形成され、前記第１の切込み片を折曲げた後に生じる開口上に突出して前記固定部となる第２の切込み片と、
を形成する請求項５に記載の梱包装置。
【請求項１１】
前記物体と一緒に前記外箱に収納され、前記突出部と異なる位置で前記物体を保持または保護する緩衝材を備えた請求項１から１０のうち何れか１項に記載の梱包装置。
【請求項１２】
前記物体は、物品を収納袋により包み込んだものである請求項１から１１のうち何れか１項に記載の梱包装置。
【請求項１３】
前記外箱に収納された緩衝材を備え、
前記物体は、前記緩衝材に嵌め込まれている請求項１から１０のうち何れか１項に記載の梱包装置。
【手続補正２】
【補正対象書類名】明細書
【補正対象項目名】０００６
【補正方法】変更
【補正の内容】
【０００６】
この発明に係る梱包装置は、物体を収納するために少なくとも１つの段ボールシートにより形成され、天面部と、天面部と対向する底面部と、天面部と底面部とを互いに接続する側面部とを有する外箱を備え、天面部と底面部のうち少なくとも一方の壁面部は、段ボールシートを外箱の内側に向けて部分的に折曲げることにより形成された突出部を備え、突出部は、外箱に収納された物体に当接し、天面部に加わる荷重の一部が突出部により支持されるものである。
また、この発明に係る梱包装置は、物体を収納するために少なくとも１つの段ボールシートにより形成され、天面部と、天面部と対向する底面部と、天面部及び底面部と互いに接続された側面部とを有する外箱を備え、天面部と底面部のうち少なくとも一方の壁面部は、段ボールシートを外箱の内側に向けて部分的に折曲げることにより形成された突出部と、突出部を壁面部から突出した状態に固定する固定部と、を備え、天面部に加わる荷重の一部が突出部により支持されるものである。
【国際調査報告】
2017033330.tif 000020
2017033330.tif 000021
2017033330.tif 000022
2017033330.tif 000023